(57)【要約】【課題】  録音中であることをユーザに直感的に知らせること。【解決手段】  携帯電話機は、自機の姿勢を検出する姿勢検出部（Ｓ０１，Ｓ０４，Ｓ１０）と、外部から音が入力される集音部と、入力された音を記憶する録音部（Ｓ０３）と、姿勢検出部により第１の姿勢が検出されることに応じて（Ｓ０２でＹＥＳ）、録音部による音の記憶を開始させ（Ｓ０３）、姿勢検出部により第２の姿勢が検出されることに応じて（Ｓ０５でＹＥＳ）、録音部による音の記憶を終了させる（Ｓ０６）音声制御部と、を備える。【選択図】        図５
2009218750.tif 000002
【特許請求の範囲】
【請求項１】
自機の姿勢を検出する検出手段と、
外部から音が入力される集音手段と、
前記入力された音を記憶する記憶手段と、
前記検出手段により第１の姿勢が検出されることに応じて前記記憶手段による音の記憶を開始させ、前記検出手段により第２の姿勢が検出されることに応じて前記記憶手段による音の記憶を終了させる制御手段と、を備えた携帯電話機。
【請求項２】
自機の姿勢を検出する検出手段と、
外部から音が入力される集音手段と、
前記入力された音を記憶する記憶手段と、
前記記憶手段により記憶された音を再生する再生手段と、
第１の姿勢により音を記憶している場合において、前記検出手段により第２の姿勢が検出されたときは、前記記憶手段による音の記憶を終了した後に、前記記憶手段に記憶された音を前記再生手段に再生させる制御手段と、を備えた携帯電話機。
【請求項３】
第１筐体と、
前記第１筐体と相対的に移動可能に連結された第２筐体と、を備え、
前記検出手段は、前記第１筐体と前記第２筐体との相対的位置が第１相対位置にあるときに前記第１の姿勢を検出し、前記第１筐体と前記第２筐体との相対的位置が第２相対位置にあるときに前記第２の姿勢を検出する、請求項１または２に記載の携帯電話機。
【請求項４】
加速度を検出する加速度検出手段をさらに備え、
前記検出手段は、前記検出された加速度に基づいて、前記第１の姿勢と前記第２の姿勢とを検出する、請求項１または２に記載の携帯電話機。
【請求項５】
前記記憶された音を再生する再生手段をさらに備え、
前記制御手段は、前記記憶手段による音の記憶を終了させた後に、前記再生手段に前記記憶された音を再生させる、請求項１、３および４のいずれかに記載の携帯電話機。
【請求項６】
姿勢を検出するステップと、
第１の姿勢が検出されることに応じて音の記憶を開始するステップと、
第２の姿勢が検出されることに応じて音の記憶を終了させるステップと、を含む録音方法。
【発明の詳細な説明】
【技術分野】
【０００１】
この発明は携帯電話機および録音方法に関し、音声を録音可能な携帯電話機および録音方法に関する。
【背景技術】
【０００２】
近年、携帯電話機は、文字などを入力する代わりに、音声を入力して録音する機能を有するものがある。携帯電話機に所定の操作、例えば音声の録音を開始するアプリケーションを起動させた後、録音の開始を示すボタンを指示する操作をすることによって、録音が開始される。一方、実際に音声が録音されているか否かは、録音された音声を再生しなければ確認することができない。このため、録音中にランプを発光させる技術が知られている（例えば、特許文献１）。
【０００３】
しかしながら、ランプの点灯が録音中を示すことをユーザは知らなければ、録音されていることを知ることができないといった問題がある。
【特許文献１】特開平０９−０２７８４０７号公報
【発明の開示】
【発明が解決しようとする課題】
【０００４】
この発明は上述した問題点を解決するためになされたもので、この発明の目的の１つは、録音中であることをユーザに直感的に知らせることが可能な携帯電話機を提供することである。
この発明の他の目的は、操作を簡便にした携帯電話機を提供することである。
【０００５】
この発明の他の目的は、録音中であることをユーザに直感的に知らせることが可能な録音方法を提供することである。
【課題を解決するための手段】
【０００６】
上述した目的を達成するためにこの発明のある局面によれば、携帯電話機は、自機の姿勢を検出する検出手段と、外部から音が入力される集音手段と、入力された音を記憶する記憶手段と、検出手段により第１の姿勢が検出されることに応じて記憶手段による音の記憶を開始させ、検出手段により第２の姿勢が検出されることに応じて記憶手段による音の記憶を終了させる制御手段と、を備える。
【０００７】
この局面に従えば、自機の姿勢が第１の姿勢になると音が記憶され、自機の姿勢が第２の姿勢になると音の記憶が終了される。このため、録音中であることをユーザに直感的に知らせることが可能な携帯電話機を提供することができる。
この発明の他の局面によれば、携帯電話機は、自機の姿勢を検出する検出手段と、外部から音が入力される集音手段と、入力された音を記憶する記憶手段と、記憶手段により記憶された音を再生する再生手段と、第１の姿勢により音を記憶している場合において、検出手段により第２の姿勢が検出されたときは、記憶手段による音の記憶を終了した後に、記憶手段に記憶された音を再生手段に再生させる制御手段と、を備える。
この局面に従えば、第１の姿勢で音を記憶させている場合に、第２の姿勢が検出されると、音の記憶が終了され、記憶された音が再生される。このため、ユーザは、携帯電話機の姿勢を変化させる簡単な操作で、音の記憶を終了させることができるとともに、記憶させた音を直ちに確認することができる。その結果、操作を簡便にした携帯電話機を提供することができる。
【０００８】
好ましくは、第１筐体と、第１筐体と相対的に移動可能に連結された第２筐体と、を備え、検出手段は、第１筐体と第２筐体との相対的位置が第１相対位置にあるときに第１の姿勢を検出し、第１筐体と第２筐体との相対的位置が第２相対位置にあるときに第２の姿勢を検出する。
【０００９】
この局面に従えば、第１筐体と第２筐体との相対的位置が第１相対位置にあるときに第１の姿勢が検出され、第１筐体と第２筐体との相対的位置が第２相対位置にあるときに第２の姿勢が検出される。このため、第１の筐体と第２の筐体との相対的な位置から音声を記憶中であるか否かをユーザに知らせることができる。
【００１０】
好ましくは、加速度を検出する加速度検出手段をさらに備え、検出手段は、検出された加速度に基づいて、第１の姿勢と第２の姿勢とを検出する。
【００１１】
この局面に従えば、検出された加速度に基づいて、第１の姿勢と第２の姿勢とが検出されるので、携帯電話機の向きから音声を記憶中であるか否かをユーザに知らせることができる。
【００１２】
好ましくは、記憶された音を再生する再生手段をさらに備え、制御手段は、記憶手段による音の記憶を終了させた後に、再生手段に記憶された音を再生させる。
【００１３】
この局面に従えば、音の記憶が終了すると、記憶された音が再生されるのでユーザは、記憶させた音を直ちに確認することができる。
【００１４】
この発明の他の局面によれば、録音方法は、姿勢を検出するステップと、第１の姿勢が検出されることに応じて音の記憶を開始するステップと、第２の姿勢が検出されることに応じて音の記憶を終了させるステップと、を含む。
【００１５】
この局面に従えば、録音中であることをユーザに直感的に知らせることが可能な録音方法を提供することができる。
【発明を実施するための最良の形態】
【００１６】
以下、本発明の実施の形態について図面を参照して説明する。以下の説明では同一の部品および部材には同一の符号を付してある。それらの名称および機能も同じである。したがってそれらについての詳細な説明は繰返さない。
【００１７】
図１は、本発明の実施の形態の１つにおける携帯電話機の外観を示す斜視図である。図１を参照して、携帯電話機１は、表示側部２と、操作側部３と、を含む。表示側部２は、その裏面が操作側部３の表面と向かい合うように、長手方向にスライド可能に取り付けられる。図１においては、表示側部２を操作側部３に対してスライドさせて、携帯電話機１が開いた状態を示している。携帯電話機１が閉じた状態に置いては、表示側部２の裏面は、操作側部３の表面と重なる。
【００１８】
図２（Ａ）は、携帯電話機１の閉じた状態（第２の姿勢）における平面図である。図２（Ｂ）は、携帯電話機の開いた状態（第１の姿勢）における平面図である。図２（Ａ）および図２（Ｂ）を参照して、表示側部２の表面は、カメラ２４と、液晶表示装置（ＬＣＤ）１６と、タッチパネル２５Ａと、通話キー１４Ｂ、指示キー１５、および通話終了キー１４Ｃとを含む操作キー１４と、レシーバとしての第１スピーカ１１と、が配置される。タッチパネル２５Ａは、透明な部材からなり、ＬＣＤ１６の表示面の全体に渡ってそれに重畳して配置される。なお、ここでは携帯電話機１がＬＣＤ１６を備える例を示すが、ＬＣＤ１６に代えて、有機ＥＬ（Ｅｌｅｃｔｒｏ  Ｌｕｍｉｎｅｓｃｅｎｃｅ）ディスプレイ等を用いてもよい。
【００１９】
携帯電話機１が開いた状態において、操作側部３の表面の一部が露出する。操作側部３は、表面の露出する部分に操作キー１４の一部を構成するテンキー１４Ａと、マイクロホン１３とが配置される。また、操作側部３の側面には、第２スピーカ１２（図３参照）が配置される。したがって、携帯電話機１が開いた状態（第１の姿勢）において、マイクロホン１３が露出するので携帯電話機１は音を集音するのに適した形態である。
【００２０】
図３は、携帯電話機の機能の概要の一例を示す機能ブロック図である。図３を参照して、携帯電話機１は、携帯電話機１の全体を制御するための制御部２１と、アンテナ２２Ａと接続された無線回路２２と、音声データを処理するためのコーデック部２８と、それぞれがコーデック部２８に接続されたマイクロホン１３および第１スピーカ１１と、アンテナ２３Ａに接続されたチューナ２３と、ＡＶデコーダ２９と、カメラ２４と、ユーザの操作の入力を受付ける操作部２５と、ＬＣＤ１６の表示を制御するための表示制御部３０と、制御部２１の作業領域として使用されるＲＡＭ（Ｒａｎｄｏｍ  Ａｃｃｅｓｓ  Ｍｅｍｏｒｙ）３１と、制御部２１で実行するプログラム等を記憶するためのフラッシュＲＯＭ（Ｆｌｕｓｈ  Ｒｅａｄ  Ｏｎｌｙ  Ｍｅｍｏｒｙ）３２と、振動部２６と、カードインターフェース（Ｉ／Ｆ）２７と、開スイッチ３４と、閉スイッチ３５と、を含む。
【００２１】
無線回路２２は、アンテナ２２Ａにより受信された無線信号が入力され、無線信号を復調した音声信号をコーデック部２８に出力する。また、無線回路２２は、コーデック部２８から音声信号が入力され、音声信号を変調した無線信号をアンテナ２２Ａに出力する。コーデック部２８は、無線回路２２から入力される音声信号を復号し、復号したデジタルの音声信号をアナログに変換し、増幅し、そして第１スピーカ１１に出力する。また、コーデック部２８は、マイクロホン１３からアナログの音声信号が入力され、音声信号をデジタルに変換し、符号化し、そして符号化した音声信号を無線回路２２に出力する。
【００２２】
チューナ２３は、アンテナ２３Ａに接続されており、アンテナ２３Ａにより受信された放送信号が入力される。放送信号は、映像データおよび音声データを含む高周波デジタル変調信号である。チューナ２３は、アンテナ２３Ａから入力される高周波デジタル変調信号から特定の周波数の信号を取り出す。また、チューナ２３は、逆インターリーブ回路、誤り訂正回路を備えており、取り出した特定の周波数の高周波デジタル変調信号を復調して符号データをＡＶデコーダ２９に出力する。ＡＶデコーダ２９は、ビデオデコーダおよびオーディオデコーダを備えており、チューナ２３から入力された符号データを復号して映像信号および音声信号を生成し、映像信号を表示制御部３０に出力し、音声信号をＤ／Ａ（デジタル／アナログ）変換して第２スピーカ１２に与える。なお、ここでは、デジタルテレビジョン放送の放送電波を受信して再生する例を示したが、アナログテレビジョン放送の放送電波を受信して再生するようにしてもよい。また、テレビジョン放送に代えて、または、テレビジョン放送に加えて、ラジオ放送の放送電波を受信して再生するようにしてもよい。
【００２３】
表示制御部３０は、制御部２１により制御され、制御部２１から入力される指示に従ってＬＣＤ１６を制御して、ＬＣＤ１６に画像を表示させる。ＬＣＤ１６に表示させる画像は、動画像と静止画像とを含む。
【００２４】
カメラ２４は、レンズおよびＣＭＯＳ(Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等の光電変換素子を備え、レンズで集光した光をＣＭＯＳセンサに結像し、ＣＭＯＳセンサは受光した光を光電変換して画像データを制御部２１に出力する。カメラ２４は、制御部２１により制御され、制御部２１からの指示により撮像を開始して、得られる静止画データまたは動画データを制御部２１に出力する。カメラ２４は、光電変換した画像データの画質を向上させるための画像処理を実行する画像処理回路、画像データをアナログからデジタルに変換するＡ／Ｄ変換回路を備えている。制御部２１は、カメラ２４が出力する静止画データまたは動画データを表示制御部３０に出力し、ＬＣＤ１６に表示させる。また、静止画データまたは動画データを符号化し、フラッシュＲＯＭ３２またはカードＩ／Ｆ２７に装着されたメモリカード２７Ａに記憶することが可能である。また、カメラ２４は、携帯電話機１がテレビ電話として機能する場合、動画データを予め定められた圧縮符号化方式で符号化して、制御部２１に出力する。
【００２５】
操作部２５は、操作キー１４と、タッチパネル２５Ａとを含む。操作キー１４およびタッチパネル２５Ａは、ユーザによる操作の入力を受け付け、受付けた操作を制御部２１に出力する。
【００２６】
カードＩ／Ｆ２７には、着脱可能なメモリカード２７Ａが装着される。メモリカード２７Ａは、例えば、ＣｏｍｐａｃｔＦｌａｓｈ、ＳｍａｒｔＭｅｄｉａ（登録商標）、ＳＤ（Ｓｅｃｕｒｅ  Ｄｉｇｉｔａｌ）／ＭｉｎｉＳＤ／ＭｉｃｒｏＳＤメモリカード、メモリースティック、ＭＭＣ（ＭｕｌｔｉＭｅｄｉａ  Ｃａｒｄ）、ｘＤピクチャーカードなどである。
【００２７】
制御部２１は、カードＩ／Ｆ２７を介して、メモリカード２７Ａにアクセスが可能である。ここでは制御部２１で実行するためのプログラムをフラッシュＲＯＭ３２に記憶しておく例を説明するが、プログラムをメモリカード２７Ａに記憶しておき、メモリカード２７Ａからプログラムを読み出して、制御部２１で実行するようにしてもよい。プログラムを記憶する記録媒体としては、メモリカード２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、光カード、マスクＲＯＭ、ＥＰＲＯＭなどの半導体メモリ等でもよい。また、携帯電話機１をインターネットに無線回路２２を介して接続し、インターネットに接続されたコンピュータからプログラムをダウンロードして、制御部２１で実行するようにしてもよい。ここでいうプログラムは、制御部２１により直接実行可能なプログラムだけでなく、ソースプログラム、圧縮処理されたプログラム、暗号化されたプログラム等を含む。
【００２８】
開スイッチ３４は、携帯電話機１が開いた状態（第１の姿勢）のときにＯＮとなり、開いた状態でないときにＯＦＦとなる。閉スイッチ３５は、携帯電話機１が閉じた状態（第２の姿勢）のときにＯＮとなり、閉じた状態でないときにＯＦＦとなる。開スイッチ３４および閉スイッチ３５は、ＣＰＵ２１に接続されており、ＣＰＵ２１は開スイッチ３４および閉スイッチ３５それぞれの状態を検出することにより、携帯電話機１の姿勢を検出する。
【００２９】
図４は、制御部の機能の概要の一例を示す機能ブロック図である。図４を参照して、制御部２１は、携帯電話機１の姿勢を検出する姿勢検出部５１と、音を取得する集音部５５と、音を録音する録音部５７と、録音させた音声を再生する再生部５９と、録音部５７および再生部５９を制御する音声制御部５３と、を含む。
【００３０】
姿勢検出部５１は、開スイッチ３４と閉スイッチ３５それぞれの状態を検出し、携帯電話機１の姿勢を検出する。具体的には、開スイッチ３４がＯＮならば携帯電話機１が第２の姿勢であることを検出し、閉スイッチ３５がＯＮならば携帯電話機１が第１の姿勢であることを検出する。姿勢検出部５１は、検出した姿勢を音声制御部５３に出力する。
【００３１】
集音部５５は、マイクロホン１３が出力する音データを取得し、取得した音データを録音部５７に出力する。録音部５７は、音声制御部５３により制御され、音声制御部５３からの録音開始指示が入力されると、マイクロホン１３から取得した音データを、フラッシュＲＯＭ３２に記憶し、音声制御部５３からの録音終了指示が入力されると、マイクロホン１３から取得した音データのフラッシュＲＯＭ３２への記憶を終了する。なお、マイクロホン１３から出力されるアナログの音は、コーデック部２８において符号化されるので、録音部５７は、符号化された音データをフラッシュＲＯＭ３２に記憶する。
【００３２】
再生部５９は、音声制御部５３により制御され、音声制御部５３からの再生開始指示が入力されると、フラッシュＲＯＭ３２に記憶された音データを読出し、第２スピーカ１２に出力し、音声制御部５３からの再生終了指示が入力されると、音データの第２スピーカ１２への出力を終了する。なお、フラッシュＲＯＭ３２に記憶されている音データは符号化されているので、再生部５９は、フラッシュＲＯＭ３２から読出した音データをＡＶデコーダ２９に出力する。これにより、音データはＡＶデコーダ２９により復号されて、第２スピーカ１２に出力される。
【００３３】
音声制御部５３は、姿勢検出部５１により第１の姿勢が検出されると、録音部５７に録音開始指示を出力する。音声制御部５３は、録音開始指示を出力した後に、姿勢検出部５１により第２の姿勢が検出されると、録音部５７に録音終了指示を出力するとともに、再生部５９に再生開始指示を出力する。さらに、再生開始指示を出力した後に姿勢検出部５１により第１の姿勢が検出されると、再生部５９に再生終了指示を出力するとともに、録音部５７に録音開始指示を出力する。録音部５７は、録音開始指示が入力されると、フラッシュＲＯＭ３２に音データを記憶するが、フラッシュＲＯＭ３２に音データが既に記憶されている場合には、録音開始指示が入力されるごとに異なる音データとして記憶するようにしてもよいし、既に記憶されている音データに追加して記憶するようにしてもよいし、既に記憶されている音データを消去して、別の音データとして記憶するようにしてもよい。いずれの方法で記憶するかは、携帯電話機１に予め設定しておくようにしてもよいし、ユーザが音を録音させるためのアプリケーションプログラムを起動した時点で、ユーザが選択するようにしてもよい。
【００３４】
図５は、音声制御処理の流れの一例を示すフローチャートである。音声制御処理は、制御部２１が録音プログラムを実行することにより、制御部２１により実行される処理である。録音プログラムは、ユーザが録音プログラムを起動させる指示を携帯電話機１に入力することにより実行される。例えば、メニュー画面をＬＣＤ１６に表示し、メニュー画面に表示されたメニューに含まれる録音プログラムを起動させるためのメニューをユーザが操作キー１４を用いて指示すれば、録音プログラムを起動させる指示が携帯電話機１に入力される。
【００３５】
図５を参照して、制御部２１は、携帯電話機１の姿勢を検出する（ステップＳ０１）。開スイッチ３４と閉スイッチ３５それぞれの状態を検出し、携帯電話機１の姿勢を検出す
る。そして、検出された姿勢が第１の姿勢か否かを判断する（ステップＳ０２）。第１の姿勢ならば処理をステップＳ０３に進め、そうでなければ処理をステップＳ０１に戻す。ステップＳ０３においては、録音を開始する。これにより、マイクロホン１３により集音された音がフラッシュＲＯＭ３２に記憶される。
【００３６】
録音プログラムが開始されてから、携帯電話機１が第１の姿勢になるまで待機状態となり、第１の姿勢になると録音が開始される。このため、ユーザは、携帯電話機１が第２の姿勢のときに録音プログラムを起動すれば、その後携帯電話機１を第２の姿勢から第１の姿勢に姿勢を変更する操作をすることにより、録音を開始させることができる。第１の姿勢は、マイクロホン１３が露出するので、集音しやすい姿勢である。また、第１の姿勢は、携帯電話機１で通話するときの姿勢と同じなので、通話するのと同じ使用方法で、音を入力することができる。このため、携帯電話機１が録音することができる状態であることを直感的に知ることができる。
【００３７】
ステップＳ０４においては、ステップＳ０１と同様に、携帯電話機１の姿勢を検出する。そして、検出された姿勢が第２の姿勢か否かを判断する（ステップＳ０５）。第２の姿勢ならば処理をステップＳ０６に進め、そうでなければ処理をステップＳ０８に進める。ステップＳ０６においては、録音を終了する。
【００３８】
そして、再生を開始する（ステップＳ０７）。これにより、フラッシュＲＯＭ３２に記憶された音データが再生され、第２スピーカ１２から再生された音が出力される。ユーザは、携帯電話機１を第１の姿勢から第２の姿勢に変更する簡単な操作で、録音を終了することができる。このため、操作キー１４を操作する必要がないので、録音を終了させるために操作キー１４のうちから終了させるためのキーを捜す必要がない。また、携帯電話機１は、第１の姿勢から第２の姿勢になると、再生を開始するので、ユーザは、再生指示を入力するために操作キー１４を操作する必要がない。さらに、第１の姿勢から第２の姿勢になると音が再生されるので、録音された音を直ちに確認することができる。
【００３９】
一方、ステップＳ０８においては、終了指示を受け付けたか否かを判断する。終了指示を受け付けたならば処理をステップＳ０９に進め、そうでなければ処理をステップＳ０４に戻す。終了指示は、録音プログラムの実行を終了させるための指示であり、例えば、操作キー１４に予め割り当てられたキーが指示された場合に受け付けられる。ステップＳ０９においては、録音を終了し、処理を終了する。
【００４０】
ステップＳ１０においては、ステップＳ０１と同様に、携帯電話機１の姿勢を検出する。そして、検出された姿勢が第１の姿勢か否かを判断する（ステップＳ１１）。第１の姿勢ならば処理をステップＳ１２に進め、そうでなければ処理をステップＳ１３に進める。ステップＳ１２においては、再生を終了し、処理をステップＳ０３に戻す。これにより、フラッシュＲＯＭ３２に記憶された音データの再生が終了され、再度録音が開始される（ステップＳ０３）。この場合、フラッシュＲＯＭ３２に記憶された音データに追加して音データを記憶するようにしてもよいし、フラッシュＲＯＭ３２に記憶された音データとは別の音データとしてフラッシュＲＯＭ３２に記憶するようにしてもよいし、フラッシュＲＯＭ３２に記憶されている音データを削除し、新たな音データをフラッシュＲＯＭ３２に記憶するようにしてもよい。
【００４１】
一方、ステップＳ１３においては、ステップＳ０８と同様に終了指示を受け付けたか否かを判断する。終了指示を受け付けたならば処理をステップＳ１４に進め、そうでなければ処理をステップＳ１０に戻す。ステップＳ１４においては、音声の再生を終了し、処理を終了する。
【００４２】
＜変形例＞
上述した実施の形態における携帯電話機１は、携帯電話機１が開いた状態と閉じた状態とを、それぞれ第１の姿勢と第２の姿勢としたが、変形例における携帯電話機１は、第１の姿勢と第２の姿勢とを、携帯電話機１のユーザに対する向きにより定めるようにしたものである。以下、上述した携帯電話機１と異なる点を主に説明する。
【００４３】
図６は、変形例における携帯電話機の外観を示す斜視図である。図１（Ａ）は、オープンスタイルにおける携帯電話機１Ａの外観を示し、図１（Ｂ）はクローズスタイルにおける携帯電話機１Ａの外観を示す。図１（Ａ）および図１（Ｂ）を参照して、携帯電話機１Ａは、操作側部３と、表示側部２とを含む。
【００４４】
操作側部３は、電源キー１４Ａ、テンキーおよび通話キー等を含む操作キー１４と、マイクロホン１３とが内側面に配置される。表示側部２は、ＬＣＤ１６と、レシーバを構成する第１スピーカ１１と、カメラ２４とが内側面に配置され、第２スピーカ１２が外側面に配置される。
【００４５】
変形例における携帯電話機１Ａは、ハンズフリーで音を録音することが可能である。変形例における携帯電話機１Ａにおいて、第２スピーカ１２でマイクロホン１３により集音された音を出力する場合、ハウリングする場合がある。第２スピーカ１２から出力される音声が再びマイクロホン１３で集音されることによって正帰還回路が構成されるからである。このため、マイクロホン１３の指向性を狭くすればよい。また、マイクロホン１３とは別の指向性の広いマイクロホンをマイクロホン１３と並べて配置するようにしてもよい。指向性の狭いマイクロホン１３は、録音すべき音が比較的多く含まれ、指向性の広いマイクロホンが集音する音は、周囲雑音が比較的多く含まれる。この場合、両者の差分を求めることで、周囲雑音を取り出すことができ、ハウリングを防止することができる。
【００４６】
操作側部３と表示側部２とは、ヒンジ機構で回転可能に連結され、操作側部３と表示側部２とは開閉自在である。携帯電話機１を折りたたんで、操作側部３と表示側部２とが閉状態にあるときの携帯電話機１Ａの状態がクローズスタイルであり、携帯電話機１を開いて、操作側部３と表示側部２とが開状態にあるときの携帯電話機１の状態がオープンスタイルである。
【００４７】
図７は、変形例における携帯電話機の機能の概要の一例を示す機能ブロック図である。図３に示した機能ブロック図と異なる点は、加速度センサ３６が追加された点である。その他の機能は同じなのでここでは説明を繰り返さない。
【００４８】
加速度センサ３６は、加速度を検出し、検出した加速度を制御部２１に出力する。制御部２１の機能は、図４に示した機能ブロック図と姿勢検出部５１を除いて同じである。変形例における制御部２１が有する姿勢検出部５１は、加速度センサ３６から入力される加速度に基づいて携帯電話機１の姿勢を検出する。
【００４９】
具体的には、姿勢検出部５１は、開スイッチ３４の状態がＯＮであることが検出されているときに、操作キー１４に操作が入力されたときの姿勢を第１の姿勢とする。このとき、携帯電話機１Ａの表示側部２と、操作側部３とは、それぞれの内側面がユーザの方向を向き、マイクロホン１３がユーザー側を向く。このため、第１の姿勢は音を集音するのに適した姿勢である。
【００５０】
そして、携帯電話機１Ａの表示側部２と、操作側部３とは、それぞれの内側面がユーザと反対方法を向くことが、加速度センサ３６から入力される加速度により検出されると、第２の姿勢を検出する。携帯電話機１が第２の姿勢にあるとき、第２スピーカ１２がユーザー側を向く。このため、第２の姿勢は第２スピーカ１２から音を出力するのに適した姿勢である。
【００５１】
変形例における携帯電話機１Ａの制御部２１で実行される音声制御処理は、図５に示したフローチャートで示される。従って、ここでは説明を繰り返さない。
【００５２】
＜姿勢の変形例＞
図８は、変形例における携帯電話機１Ａの姿勢の一例を示す第１の図である。図８に示す姿勢は、携帯電話機１Ａを、机において使用する場合に適した第１の姿勢と第２の姿勢である。図８（Ａ）は、変形例における携帯電話機１Ａの第１の姿勢を示し、図８（Ｂ）は変形例における携帯電話機１Ａの第２の姿勢を示す。図８（Ａ）に示すように、携帯電話機１Ａが第１の姿勢のとき、マイクロホン１３が上側を向いているので音を集音するのに適した姿勢である。図８（Ｂ）に示すように、携帯電話機１Ａが第２の姿勢のとき、第２スピーカ１２が上側を向いているので出力された音を聞くのに適した姿勢である。
【００５３】
図９は、変形例における携帯電話機１Ａの姿勢の一例を示す第２の図である。図９に示し姿勢は、携帯電話機１Ａを、ユーザが手に持って使用する場合に適した第１の姿勢と第２の姿勢である。図９（Ａ）は、変形例における携帯電話機１Ａの第１の姿勢を示し、図９（Ｂ）は変形例における携帯電話機１Ａの第２の姿勢を示す。図９（Ａ）に示すように、携帯電話機１Ａが第１の姿勢のとき、マイクロホン１３がユーザの側を向いているので音を集音するのに適した姿勢である。図９（Ｂ）に示すように、携帯電話機１Ａが第２の姿勢のとき、第２スピーカ１２がユーザの側を向いているので出力された音を聞くのに適した姿勢である。
【００５４】
以上説明したように本実施の形態における携帯電話機１，１Ａは、携帯電話機１，１Ａが第１の姿勢になるとマイクロホン１３により集音された音が記憶され、携帯電話機１，１Ａが第２の姿勢になると音の記憶が終了される。このため、録音中であることをユーザに直感的に知らせることができる。
【００５５】
携帯電話機１は、表示側部２（第１筐体）が操作側部３に相対的にスライド可能に連結されており、表示側部２が操作側部３に対して相対的に移動し、操作側部３の内側面の１部が露出する第１相対位置にあるときに第１の姿勢を検出し、表示側部２と操作側部３とが重なる第２の相対位置にあるときに第２の姿勢を検出する。このため、携帯電話機１を用いて通話する際の携帯電話機１の姿勢において音が録音されるので、音が録音されていることをユーザに携帯電話機１の形状で知らせることができる。また、携帯電話機１を閉じた第２の姿勢において記憶された音が再生されるので、ユーザは、音の記憶を終了した後に直ちに記憶された音を確認することができる。
【００５６】
変形例における携帯電話機１Ａは、加速度センサ３６により検出された加速度に基づいて、第１の姿勢と第２の姿勢とを検出するので、携帯電話機１Ａの向きから音声を記憶中であるか否かをユーザに知らせることができる。具体的には、マイクロホン１３がユーザの側を向いているときに音が記憶され、第２スピーカ１２がユーザーの側を向いているときに音の記憶が終了され、記憶された音が再生される。このため、ユーザは、音の記憶を終了した後に直ちに記憶された音を確認することができる。
【００５７】
なお、本実施の形態においては、携帯電話機１を例に説明したが、図５に示した音声制御処理をコンピュータに実行させる録音方法、その録音方法をコンピュータに実行させるための録音プログラムとして発明を捉えることができるのは言うまでも
ない。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５９】
【図１】本発明の実施の形態の１つにおける携帯電話機の外観を示す斜視図である。
【図２】携帯電話機の平面図である。
【図３】携帯電話機の機能の概要の一例を示す機能ブロック図である。
【図４】制御部の機能の概要の一例を示す機能ブロック図である。
【図５】音声制御処理の流れの一例を示すフローチャートである。
【図６】変形例における携帯電話機の外観を示す斜視図である。
【図７】変形例における携帯電話機の機能の概要の一例を示す機能ブロック図である。
【図８】変形例における携帯電話機１Ａの姿勢の一例を示す第１の図である。
【図９】変形例における携帯電話機１Ａの姿勢の一例を示す第２の図である。
【符号の説明】
【００６０】
１，１Ａ  携帯電話機、２  表示側部、３  操作側部、１１  第１スピーカ、１２  第２スピーカ、１３  マイクロホン、１４  操作キー、１６  ＬＣＤ、２１  制御部、２２  無線回路、２２Ａ  アンテナ、２３  チューナ、２３Ａ  アンテナ、２４  カメラ、２５  操作部、２５Ａ  タッチパネル、２６  振動部、２７  カードＩ／Ｆ、２７Ａ  メモリカード、２８  コーデック部、２９  ＡＶデコーダ、３０  表示制御部、３１  ＲＡＭ、３２  フラッシュＲＯＭ３２、３４  開スイッチ、３５  閉スイッチ、３６  加速度センサ、５１  姿勢検出部、５３  音声制御部、５５  集音部、５７  録音部、５９  再生部。
【図１】
2009218750.tif 000003
【図２】
2009218750.tif 000004
【図３】
2009218750.tif 000005
【図４】
2009218750.tif 000006
【図５】
2009218750.tif 000007
【図６】
2009218750.tif 000008
【図７】
2009218750.tif 000009
【図８】
2009218750.tif 000010
【図９】
2009218750.tif 000011